(57)【要約】【課題】E-UTRAN方式のシステムから移行してきたという情報と移行のための情報を用いて、cdma2000システムで待ち受ける場合におけるE-UTRAN方式のシステムの基地局の探索を好適に制御することができるようにする。【解決手段】本発明の移動無線端末においては、移動無線端末が接続する基地局が第２の移動体通信網に属する基地局から第１の移動体通信網に属する基地局に移行したか否かを示す移行有無情報を記憶し、記憶された移行有無情報を用いて、移動無線端末が接続する基地局が前記第２の移動体通信網に属する基地局から第１の移動体通信網に属する基地局に移行した後に第１の移動体通信網に属する基地局で待ち受けしていると判定された場合、第２の通信手段を介して第２の移動体通信網に属する基地局を探索するように制御することができる。【選択図】  図５
2010147576.tif 000002
【特許請求の範囲】
【請求項１】
回線交換網を含む第１の移動体通信網に属する基地局と通信する第１の通信手段と、
前記第１の移動体通信網と接続される第２の移動体通信網に属する基地局と通信する第２の通信手段と、
移動無線端末が接続する基地局が前記第２の移動体通信網に属する基地局から前記第１の移動体通信網に属する基地局に移行したか否かを示す移行有無情報を記憶する記憶手段と、
前記記憶手段により記憶されている前記移行有無情報を用いて、前記移動無線端末が接続する基地局が前記第２の移動体通信網に属する基地局から前記第１の移動体通信網に属する基地局に移行した後に前記第１の移動体通信網に属する基地局で待ち受けしているか否かを判定する判定手段と、
前記判定手段により、前記移動無線端末が接続する基地局が前記第２の移動体通信網に属する基地局から前記第１の移動体通信網に属する基地局に移行した後に前記第１の移動体通信網に属する基地局で待ち受けしていると判定された場合、前記第２の通信手段を介して前記第２の移動体通信網に属する基地局を探索するように制御する探索制御手段とを備えることを特徴とする移動無線端末。
【請求項２】
前記第２の通信手段を介して前記第２の移動体通信網に属する基地局の探索に成功した場合、前記探索制御手段は、前記第２の通信手段を介して前記第２の移動体通信網に属する基地局を再選択するように制御することを特徴とする請求項１に記載の移動無線端末。
【請求項３】
前記第２の通信手段を介して前記第２の移動体通信網に属する基地局の探索に失敗した場合、前記探索制御手段は、探索を再開するまでの第１の探索再開時間を設定し、設定された前記第１の探索再開時間が経過したとき、前記第２の通信手段を介して前記第２の移動体通信網に属する基地局を再度探索するように制御することを特徴とする請求項１に記載の移動無線端末。
【請求項４】
前記第１の探索再開時間は、前記移動無線端末が待ち受けている前記第１の移動体通信網に属する基地局からの信号の受信信号品質が所定の基準値以下である場合、前記第２の移動体通信網に属する基地局の探索頻度が前記第１の移動体通信網の基地局の探索頻度より高くなるように設定されることを特徴とする請求項３に記載の移動無線端末。
【請求項５】
前記第２の通信手段を介して前記第２の移動体通信網に属する基地局の探索に失敗した場合、前記探索制御手段は、探索を再開するまでの第２の探索再開時間を設定し、前記第１の移動体通信網に属する基地局で待ち受け中に前記移動無線端末が接続する基地局が前記第１の移動体通信網に属する基地局から前記第１の移動体通信網に属する他の基地局に移行したときであって、かつ設定された前記第２の探索再開時間が経過したとき、前記第２の通信手段を介して前記第２の移動体通信網に属する基地局を再度探索するように制御することを特徴とする請求項３に記載の移動無線端末。
【請求項６】
前記移動無線端末が接続する基地局が前記第２の移動体通信網に属する基地局から前記第１の移動体通信網に属する基地局に移行した後に前記第１の移動体通信網に属する基地局で待ち受けている場合に、前記移動無線端末が接続する基地局が前記第１の移動体通信網に属する基地局から前記第１の移動体通信網に属する他の基地局に移行したときであって、前記移動無線端末が待ち受けている前記第１の移動体通信網に属する基地局からの信号の受信信号品質が所定の基準値よりも大きいとき、前記探索制御手段は、前記第２の通信手段を介して前記第２の移動体通信網に属する基地局を探索するように制御することを特徴とする請求項１に記載の移動無線端末。
【請求項７】
前記移動無線端末が接続する基地局が前記第２の移動体通信網に属する基地局から前記第１の移動体通信網に属する基地局に移行した場合、前記移行有無情報を第１の状態に設定し、前記移動無線端末が接続する基地局が前記第１の移動体通信網に属する基地局から前記第２の移動体通信網に属する基地局に移行した場合または前記移動無線端末が接続する基地局が前記第１の移動体通信網に属する基地局から前記第１の移動体通信網に属する他の基地局に移行した場合、前記移行有無情報を第２の状態に設定する設定手段をさらに備え、
前記記憶手段は、前記設定手段により前記第１の状態または前記第２の状態に設定された前記移行有無情報を記憶することを特徴とする請求項１に記載の移動無線端末。
【請求項８】
前記第１の移動体通信網は、cdma2000 1x RTT方式による通信網とcdma2000 EVDO方式による通信網を含むcdma2000方式による通信網であり、前記第２の移動体通信網は、E-UTRAN方式による通信網であることを特徴とする請求項１に記載の移動無線端末。
【請求項９】
回線交換網を含む第１の移動体通信網に属する基地局と通信する第１の通信手段と、
前記第１の移動体通信網と接続される第２の移動体通信網に属する基地局と通信する第２の通信手段と、
前記回線交換網への通信要求があったか否かを示す通信要求有無情報を記憶する第１の記憶手段と、
前記第１の記憶手段により記憶されている前記通信要求有無情報を用いて、移動無線端末が接続する基地局が前記第２の移動体通信網に属する基地局から前記第１の移動体通信網に属する基地局に移行した後に前記第１の移動体通信網に属する基地局で待ち受けしているか否かを判定する第１の判定手段と、
前記第１の判定手段により、移動無線端末が接続する基地局が前記第２の移動体通信網に属する基地局から前記第１の移動体通信網に属する基地局に移行した後に前記第１の移動体通信網に属する基地局で待ち受けしていると判定された場合、前記第２の通信手段を介して前記第２の移動体通信網に属する基地局を探索するように制御する探索制御手段とを備えることを特徴とする移動無線端末。
【請求項１０】
前記第２の通信手段を介して前記第２の移動体通信網に属する基地局の探索に成功した場合、前記探索制御手段は、前記第２の通信手段を介して前記第２の移動体通信網に属する基地局を再選択するように制御することを特徴とする請求項９に記載の移動無線端末。
【請求項１１】
前記第２の通信手段を介して前記第２の移動体通信網に属する基地局の探索に失敗した場合、前記探索制御手段は、探索を再開するまでの探索再開時間を設定し、設定された前記探索再開時間が経過したとき、前記第２の通信手段を介して前記第２の移動体通信網に属する基地局を再度探索するように制御することを特徴とする請求項９に記載の移動無線端末。
【請求項１２】
前記第１の移動体通信網に含まれるEVDO方式による通信網の基地局が、前記移動無線端末が待ち受けている前記第１の移動体通信網の基地局付近に存在する旨が前記第１の移動体通信網からの報知情報によって前記移動無線端末に対して報知された場合、前記探索再開時間は、前記第２の移動体通信網に属する基地局の探索頻度が前記第１の移動体通信網に含まれるEVDO方式による通信網の基地局の探索頻度より高くなるように設定されることを特徴とする請求項１１に記載の移動無線端末。
【請求項１３】
前記第１の移動体通信網は、cdma2000 1x RTT方式による通信網とcdma2000 EVDO方式による通信網を含むcdma2000方式による通信網であり、前記第２の移動体通信網は、E-UTRAN方式による通信網であることを特徴とする請求項９に記載の移動無線端末。
【請求項１４】
前記移動無線端末が接続する基地局が前記第２の移動体通信網に属する基地局から前記第１の移動体通信網に属する基地局に移行した後に前記第１の移動体通信網に属する基地局で待ち受け中に、前記移動無線端末が接続する基地局が前記第１の移動体通信網に属する基地局から前記第１の移動体通信網に属する他の基地局に移行する度に、前記探索制御手段は、前記第２の通信手段を介して前記第２の移動体通信網に属する基地局を探索するように制御することを特徴とする請求項９に記載の移動無線端末。
【請求項１５】
前記回線交換網への通信要求があった場合、前記通信要求有無情報を第１の状態に設定し、移動無線端末が接続する基地局が前記回線交換網への通信後に前記第１の移動体通信網に属する基地局から前記第２の移動体通信網に属する基地局に移行した場合、前記通信要求有無情報を第２の状態に設定する設定手段をさらに備え、
前記第１の記憶手段は、前記設定手段により前記第１の状態または前記第２の状態に設定された前記通信要求有無情報を記憶することを特徴とする請求項９に記載の移動無線端末。
【請求項１６】
前記回線交換網への通信要求は、CS Fallback発信または着信要求であることを特徴とする請求項９に記載の移動無線端末。
【請求項１７】
前記回線交換網への通信中にハンドオーバーが発生したか否かを示すハンドオーバー有無情報を記憶する第２の記憶手段と、
前記第２の記憶手段により記憶されている前記ハンドオーバー有無情報を用いて、前記回線交換網への通信中にハンドオーバーが発生したか否かを判定する第２の判定手段とをさらに備え、
前記探索制御手段は、前記第２の判定手段により前記回線交換網への通信中にハンドオーバーが発生していないと判定された場合、前記回線交換網への通信動作による前記第１の移動体通信網に属する基地局への移行前に接続されている前記第２の移動体通信網に関する情報を用いて、前記第２の通信手段を介して前記第２の移動体通信網に属する基地局を探索するように制御することを特徴とする請求項９に記載の移動無線端末。
【請求項１８】
前記探索制御手段は、前記第２の判定手段により前記回線交換網への通信中にハンドオーバーが発生したと判定された場合、前記回線交換網への通信動作による前記第１の移動体通信網に属する基地局への移行前に接続されている前記第２の移動体通信網に関する情報を用いずに、前記第２の通信手段を介して前記第２の移動体通信網に属する基地局を探索するように制御することを特徴とする請求項１７に記載の移動無線端末。
【請求項１９】
回線交換網を含む第１の移動体通信網に属する基地局と通信する第１の通信手段と、前記第１の移動体通信網と接続される第２の移動体通信網に属する基地局と通信する第２の通信手段とを備える移動無線端末の通信処理方法において、
前記移動無線端末が接続する基地局が前記第２の移動体通信網に属する基地局から前記第１の移動体通信網に属する基地局に移行したか否かを示す移行有無情報を記憶し、
記憶されている前記移行有無情報を用いて、前記移動無線端末が接続する基地局が前記第２の移動体通信網に属する基地局から前記第１の移動体通信網に属する基地局に移行した後に前記第１の移動体通信網に属する基地局で待ち受けしていると判定された場合、前記第２の通信手段を介して前記第２の移動体通信網に属する基地局を探索するように制御することを特徴とする通信処理方法。
【請求項２０】
回線交換網を含む第１の移動体通信網に属する基地局と通信する第１の通信手段と、前記第１の移動体通信網と接続される第２の移動体通信網に属する基地局と通信する第２の通信手段とを備える移動無線端末の通信処理方法において、
前記回線交換網への通信要求があったか否かを示す通信要求有無情報を記憶し、
記憶されている前記通信要求有無情報を用いて、前記移動無線端末が接続する基地局が前記第２の移動体通信網に属する基地局から前記第１の移動体通信網に属する基地局に移行した後に前記第１の移動体通信網に属する基地局で待ち受けしていると判定された場合、前記第２の通信手段を介して前記第２の移動体通信網に属する基地局を探索するように制御することを特徴とする通信処理方法。
【請求項２１】
回線交換網を含む第１の移動体通信網に属する基地局と通信する第１の通信手段と、前記第１の移動体通信網と接続される第２の移動体通信網に属する基地局と通信する第２の通信手段とを備える移動無線端末の通信処理方法において、
前記移動無線端末が接続する基地局が前記第２の移動体通信網に属する基地局から前記第１の移動体通信網に属する基地局に移行した後に前記第１の移動体通信網に属する基地局で待ち受けしている場合、前記第２の通信手段を介して前記第２の移動体通信網に属する基地局を探索するように制御することを特徴とする通信処理方法。
【請求項２２】
回線交換網を含む第１の移動体通信網に属する基地局と通信する第１の通信手段と、前記第１の移動体通信網と接続される第２の移動体通信網に属する基地局と通信する第２の通信手段とを備える移動無線端末の通信処理方法において、
前記移動無線端末が接続する基地局が前記回線交換網への通信要求に従って前記第２の移動体通信網に属する基地局から前記第１の移動体通信網に属する基地局に移行した後に前記第１の移動体通信網に属する基地局で待ち受けしている場合、前記第２の通信手段を介して前記第２の移動体通信網に属する基地局を探索するように制御することを特徴とする通信処理方法。
【発明の詳細な説明】
【技術分野】
【０００１】
本発明は移動無線端末および通信処理方法に係り、特に、cdma2000システム（cdma2000 1x RTT（1x Radio Transmission Technology）方式のシステム／cdma2000 EVDO（Evolution Data Only）方式のシステム）とE-UTRAN（Evolved Universal Terrestrial Radio Access Network）方式のシステムとが統合された移動体通信システムにおいて、移動無線端末がcdma2000システムの基地局に在圏する場合にE-UTRAN方式のシステムの基地局を探索することができるようにした移動無線端末および通信処理方法に関する。
【背景技術】
【０００２】
近年、第３世代携帯電話規格の標準化団体である３ＧＰＰ（または３ＧＰＰ２）において、３Ｇ用のコア・ネットワークを発展させたネットワーク・アーキテクチャの仕様の策定が進められている。この仕様は、３ＧＰＰにおいてEPC（Evolved Packet Core）と呼ばれる。このEPCにおいては、E-UTRAN（Evolved Universal Terrestrial Radio Access Network）と、回線交換網（CS網）を有する移動体通信網（例えばUTRAN（Universal Terrestrial Radio Access Network）やGERAN（GSM/EDGE Radio Access Network）、cdma2000 1x RTT（1x Radio Transmission Technology）CSアクセス網など）とが統合される。なお、E-UTRANは、UTRANの発展型であり、LTE（Long Term Evolution）を収容する無線アクセスネットワーク（Radio Access Network）である。
【０００３】
３ＧＰＰ２によって規定されている3GPP2 C.S0005-D（以下、「C.S0005」という）では、cdma2000 1x RTT方式のシステム（以下、「1x RTTシステム」という）におけるLayer3のシグナリング情報とその手順について規定されている。このC.S005では、網側から送信されるシグナリング情報に予め報知情報として1x RTTシステムと異なる他のシステムの基地局の所在情報を格納しておき、移動無線端末（UE: User Equipment）は、シグナリング情報に格納される所在情報を取得することによって移動無線端末が現在属する1x RTTシステムの基地局の付近に他のシステムの基地局が存在するか否かを判断することができる。動無線端末が現在属する1x RTTシステムの基地局の付近に他のシステムの基地局が存在すると移動無線端末が認識した場合、移動無線端末は、所要の条件のもとで他のシステムの基地局の探索を開始する。
【０００４】
また、３ＧＰＰによって規定されている3GPP TS23.272 V8.0.0（以下、「TS23.272」という）では、E-UTRAN方式のシステムと、回線交換網（CS網）を有する移動体通信システムとが統合されたEPCにおいて、移動無線端末がE-UTRAN方式のシステムで待ち受けている際にCSサービスを実施する場合での協調動作（CS Fallback）方法が規定されている。CS Fallback機能を有するEPCにおいては、移動無線端末は通常E-UTRAN方式のシステムで待ち受けを実施する。そして、移動無線端末は、EPC側からのCS着信通知や移動無線端末内のサービス要求などのCS系サービスのイベント（CS発信、CS着信、CS SMS(Short Message Service)等）が発生した場合に、CSサービスを実施するためにUTRANやGERAN、またはcdma2000 1x RTT CSアクセス網に接続し、これらの網との間で情報を送受信する。§6.4, 7.2では、E-UTRAN方式のシステムの基地局で待ち受けていた移動無線端末が、CSサービスを提供するUTRAN方式またはGERAN方式のシステムの基地局へ発信と着信を実施する処理について解説している。1x RTTシステムへ接続については、Annex B2.2, B2.3にて解説されている。
【０００５】
Annex B2.2, B2.3においては、E-UTRAN方式のシステムの基地局に待ち受けをしていた移動無線端末が1x RTTシステムの基地局への発信を行う際のシーケンスおよび1x RTTシステムへ着信があった場合の処理シーケンスを規定している。具体的には、E-UTRAN方式のシステムで待ち受けている際に1x RTTシステムへの発信をする際の移動無線端末と網側の処理シーケンスが規定されており、また、E-UTRAN方式のシステムで待ち受けている際に1x RTTシステムからの着信を処理する際の端末と網側の処理シーケンスが規定されている。これらの方法により、E-UTRAN方式のシステム側に移動無線端末が待ち受けている場合でも、1x RTTシステムを用いた回線交換サービスが可能になっている。
【非特許文献１】3GPP2 C.S0005-D
【非特許文献２】3GPP TS23.272 V8.0.0
【発明の開示】
【発明が解決しようとする課題】
【０００６】
上述したC.S0005によれば、1x RTTシステムにおいてセルの再選択を実施する場合、網側から送られてくる報知情報に格納される周辺基地局の所在情報を取得することによって、移動無線端末が現在属する1x RTTシステムの基地局の付近に他のシステムの基地局が存在するか否かを判断することが可能であるが、E-UTRAN方式のシステムの取り扱いについては何ら記載がされていない。そのため、たとえ報知情報に格納された所在情報を取得したとしても、この所在情報によってE-UTRAN方式のシステムの基地局の探索を開始するのか否かを判断することができないし、さらには、この所在情報によってどうようなタイミングでE-UTRAN方式のシステムの基地局の探索を開始するのかを判断することができないという課題があった。
【０００７】
さらに、上述したTS23.272で規定されるCS Fallback発信または着信が発生した場合、E-UTRAN方式のシステムの基地局から1x RTTシステムの基地局が切り替わり、その後に回線交換サービスが完了した場合には、移動無線端末は1x RTTシステムで待ち受けることになるが、1x RTTシステムの基地局から送信される電波の受信信号強度が十分強い場合には、E-UTRAN方式のシステムを探索する必要が無いと判断されてしまい、1x RTTシステムより高速通信が可能なE-UTRAN方式のシステムに復帰することができないという課題があった。
【０００８】
本発明は、このような状況に鑑みてなされたものであり、E-UTRAN方式のシステムから移行してきたという情報と移行のためのイベントを記憶しておき、この情報を用いて、cdma2000システム（1x RTT方式のシステム/1x EVDO方式のシステム）で待ち受ける場合におけるE-UTRAN方式のシステムの基地局の探索を好適に制御することができる移動無線端末および通信処理方法を提供することを目的とする。
【課題を解決するための手段】
【０００９】
本発明の移動無線端末は、上述した課題を解決するために、回線交換網を含む第１の移動体通信網に属する基地局と通信する第１の通信手段と、第１の移動体通信網と接続される第２の移動体通信網に属する基地局と通信する第２の通信手段と、移動無線端末が接続する基地局が第２の移動体通信網に属する基地局から第１の移動体通信網に属する基地局に移行したか否かを示す移行有無情報を記憶する記憶手段と、記憶手段により記憶されている移行有無情報を用いて、移動無線端末が接続する基地局が第２の移動体通信網に属する基地局から第１の移動体通信網に属する基地局に移行した後に第１の移動体通信網に属する基地局で待ち受けしているか否かを判定する判定手段と、判定手段により、移動無線端末が接続する基地局が第２の移動体通信網に属する基地局から第１の移動体通信網に属する基地局に移行した後に第１の移動体通信網に属する基地局で待ち受けしていると判定された場合、第２の通信手段を介して第２の移動体通信網に属する基地局を探索するように制御する探索制御手段とを備えることを特徴とする。
【００１０】
本発明の移動無線端末は、上述した課題を解決するために、回線交換網を含む第１の移動体通信網に属する基地局と通信する第１の通信手段と、第１の移動体通信網と接続される第２の移動体通信網に属する基地局と通信する第２の通信手段と、回線交換網への通信要求があったか否かを示す通信要求有無情報を記憶する第１の記憶手段と、第１の記憶手段により記憶されている通信要求有無情報を用いて、移動無線端末が接続する基地局が第２の移動体通信網に属する基地局から第１の移動体通信網に属する基地局に移行した後に第１の移動体通信網に属する基地局で待ち受けしているか否かを判定する第１の判定手段と、第１の判定手段により、移動無線端末が接続する基地局が第２の移動体通信網に属する基地局から第１の移動体通信網に属する基地局に移行した後に第１の移動体通信網に属する基地局で待ち受けしていると判定された場合、第２の通信手段を介して第２の移動体通信網に属する基地局を探索するように制御する探索制御手段とを備えることを特徴とする。
【００１１】
本発明の通信処理方法は、上述した課題を解決するために、回線交換網を含む第１の移動体通信網に属する基地局と通信する第１の通信手段と、第１の移動体通信網と接続される第２の移動体通信網に属する基地局と通信する第２の通信手段とを備える移動無線端末の通信処理方法において、移動無線端末が接続する基地局が第２の移動体通信網に属する基地局から第１の移動体通信網に属する基地局に移行したか否かを示す移行有無情報を記憶し、記憶されている移行有無情報を用いて、移動無線端末が接続する基地局が第２の移動体通信網に属する基地局から第１の移動体通信網に属する基地局に移行した後に第１の移動体通信網に属する基地局で待ち受けしていると判定された場合、第２の通信手段を介して第２の移動体通信網に属する基地局を探索するように制御することを特徴とする。
【００１２】
本発明の通信処理方法は、上述した課題を解決するために、回線交換網を含む第１の移動体通信網に属する基地局と通信する第１の通信手段と、第１の移動体通信網と接続される第２の移動体通信網に属する基地局と通信する第２の通信手段とを備える移動無線端末の通信処理方法において、回線交換網への通信要求があったか否かを示す通信要求有無情報を記憶し、記憶されている通信要求有無情報を用いて、移動無線端末が接続する基地局が第２の移動体通信網に属する基地局から第１の移動体通信網に属する基地局に移行した後に第１の移動体通信網に属する基地局で待ち受けしていると判定された場合、第２の通信手段を介して第２の移動体通信網に属する基地局を探索するように制御することを特徴とする。
【００１３】
本発明の通信処理方法は、上述した課題を解決するために、回線交換網を含む第１の移動体通信網に属する基地局と通信する第１の通信手段と、第１の移動体通信網と接続される第２の移動体通信網に属する基地局と通信する第２の通信手段とを備える移動無線端末の通信処理方法において、移動無線端末が接続する基地局が第２の移動体通信網に属する基地局から第１の移動体通信網に属する基地局に移行した後に第１の移動体通信網に属する基地局で待ち受けしている場合、第２の通信手段を介して第２の移動体通信網に属する基地局を探索するように制御することを特徴とする。
【００１４】
本発明の通信処理方法は、上述した課題を解決するために、回線交換網を含む第１の移動体通信網に属する基地局と通信する第１の通信手段と、第１の移動体通信網と接続される第２の移動体通信網に属する基地局と通信する第２の通信手段とを備える移動無線端末の通信処理方法において、移動無線端末が接続する基地局が回線交換網への通信要求に従って第２の移動体通信網に属する基地局から第１の移動体通信網に属する基地局に移行した後に第１の移動体通信網に属する基地局で待ち受けしている場合、第２の通信手段を介して第２の移動体通信網に属する基地局を探索するように制御することを特徴とする。
【発明の効果】
【００１５】
本発明によれば、E-UTRAN方式のシステムから移行してきたという情報と移行のためのイベントを記憶しておき、この情報を用いて、cdma2000システム（1x RTT方式のシステム/1x EVDO方式のシステム）で待ち受ける場合におけるE-UTRAN方式のシステムの基地局の探索を好適に制御することができる。
【発明を実施するための最良の形態】
【００１６】
以下、本発明の実施の形態について、図面を参照しながら説明する。図１は、本発明に係る移動通信システムの構成を表している。図１に示されるように、回線交換接続用アクセス方式としてのcdma2000 1x RTT方式のシステム（以下、「1x RTTシステム」という）と、パケット交換接続用アクセス方式としてEVDO方式のシステム（以下、「EVDOシステム」という）とが、3.9世代のアクセス方式であるE-UTRAN方式のシステム（以下、「LTEシステム」という）を収容したEPC（Evolved Packet Core）に接続されており、各システムが互いに協調して動作できるよう構成されている。本発明が対象とする移動通信網は、TS23.272に記載のEPS（Evolved Packet System）のように、E-UTRANとCS系のアクセス網とが１つの統合されたネットワークとして構成され、かつ協調できるようにEPCの構成要素のそれぞれが接続されており、E-UTRANの基地局に対して待ち受ける移動無線端末がCSサービスを利用することができるように構成されている。なお、本発明の実施形態においては、EPSのようにEPCに接続するE-UTRANとCS系のアクセス網とが１つの統合されたネットワークを「統合通信網」と定義する。また、UTRANやGERAN、またはcdma2000 1x RTT CSアクセス網を「CS系のアクセス網」と定義する。さらに、1x RTTシステムとEVDOシステムをまとめて「cdma2000システム」と称する。
【００１７】
1x RTTシステムは、例えば3GPP2 A.S0001-AおよびA.S0008-Cに準拠したシステムであり、cdma2000 1x RTT方式で移動無線端末（UE: User Equipment）と通信を実施する。EVDOシステムは、例えば3GPP2 A.S0007-AおよびA.S0008-Cに準拠したシステムであり、EVDO方式で移動無線端末と通信を実施する。LTEシステムは、例えば3GPP TS 23.401 v8.2.0および3GPP TS23.402 v8.2.0に準拠したシステムであり、第3.9世代のアクセス方式であるE-UTRAN方式で移動無線端末と通信を実施する。
【００１８】
さらに、EPS（Evolved Packet System）は、例えば3GPP TS23.272 v8.0.0に準拠したCS Fallback機能を有している。CS Fallback機能は、LTEシステムに所在する移動無線端末が1x RTTシステムなどにおいてCSサービスを実施する際のプロトコルであり、移動無線端末がE-UTRANの基地局に対して待ち受けている際にCSサービスを実施する場合での協調動作（CS Fallback）方法が規定されている。
【００１９】
図２は、本発明に係る移動無線端末１の内部の構成を表している。移動無線端末１は、アンテナ３１、無線送受信部３２、信号処理部３３、PCMコーデック３４、受話増幅器３５、スピーカ３６、送話増幅器３７、マイクロホン３８、制御部３９、記憶部４０、操作部４１、表示部４２、バッテリ４３、電源回路４４、および時計回路４５を備える。
【００２０】
移動無線端末１は、cdma2000 1x RTT方式、EVDO方式、および3.9世代のLTEシステムの無線アクセスであるE-UTRAN方式のいずれの無線通信方式によっても音声通信やデータ通信を行うことが可能であり、アンテナ３１、無線送受信部３２、および信号処理部３３はこれらの方式に対応している。なお、CS系のアクセス網方式もいくつかの方式を取ることができ、cdma2000 1x RTT方式以外にも、例えばUTRANやGERANなどを用いた方式を取ることができる。
【００２１】
アンテナ３１は、移動通信網NWに収容される基地局BSから1x RTTシステム、EVDOシステムまたはLTEシステムで送信される無線信号を空間から受信する。また、アンテナ３１は、1x RTTシステム、EVDOシステム、またはLTEシステムと無線通信できるように空間にいずれかのアクセス方式の無線信号を放射する。移動通信網NWと基地局BSは、移動通信システムの一部の構成要素である。図２の場合、基地局BSは説明を簡略化するために１つだけ明示しているが、実際には多数の基地局BSが移動通信網NWに収容される。
【００２２】
また、移動通信システムにおいては、多数の無線ゾーンが形成される。各無線ゾーンには、少なくとも１つの基地局BSが配備される。無線ゾーンは、隣接する無線ゾーンに割り当てられる周波数と異なる周波数が割り当てられている。基地局BSは、割り当てられた周波数で移動無線端末１と無線通信する。さらに、本発明に係る移動通信システムは、移動無線端末１がLTEシステムに所在している際にCS系のサービスを移動無線端末１に提供できるように対応しており、例えば3GPP TS23.272に記載のCS Fallback機能を有する。
【００２３】
無線送受信部３２は、アンテナ３１を介して、移動通信網NWに収容される基地局BSとの間でcdma2000 1x RTT方式、EVDO方式、またはE-UTRAN方式で無線通信する。無線送受信部３２は、信号処理部３３にて生成された変調信号に基づいて、制御部３９から指示されるキャリア周波数の無線信号を生成する。また、無線送受信部３２は、制御部３９から指示されるキャリア周波数の無線信号を受信し、周波数シンセサイザから出力された局部発振信号とミキシングして中間周波数信号に周波数変換（ダウンコンバート）する。そして、無線送受信部３２は、このダウンコンバートされた中間周波数信号を直交復調して受信ベースバンド信号を出力する。この受信結果は、信号処理部３３と制御部３９に出力される。
【００２４】
信号処理部３３は、DSP（Digital Signal Processor）などにより構成され、受信ベースバンド信号に所定の信号処理を施し、所定の伝送フォーマットの受信パケットデータを得る。また、信号処理部３３は、受信パケットデータに含まれる音声信号を復調し、この復調結果を復号して音声データなどを得る。一方、信号処理部３３は、送話音声信号を符号化し、符号化によって得た音声データやその他のデータに基づいて変調信号を生成するとともに、生成された変調信号を無線送受信部３２に出力する。
【００２５】
制御部３９は、CPU（Central Processing Unit）、ROM（Read Only Memory）、およびRAM（Random Access Memory）などからなり、CPUは、ROMに記憶されているプログラムまたは記憶部４０からRAMにロードされた、オペレーティングシステム（OS）を含む各種のアプリケーションプログラムや制御プログラムに従って各種の処理を実行するとともに、種々の制御信号を生成し、各部に供給することにより移動無線端末１を統括的に制御する。具体的には、制御部３９は、1x RTTシステム、EVDOシステムおよびLTEシステムによる音声通信やデータ通信を実現する制御機能を備えており、無線送受信部３２が用いるキャリア周波数を制御し、無線送受信部３２での受信結果に基づいてパイロット信号の探索を行う。制御部３９は、無線送受信部３２に設定された無線通信方式を所要のタイミングで切り替える制御機能も備える。RAMは、CPUが各種の処理を実行する上において必要なデータなどを適宜記憶する。
【００２６】
制御部３９には、必要に応じて１または複数のCPUが備えられる。なお、本発明の実施形態では、２つのCPUが備えられる例を示すが、これに限定されず、１つのCPUで実施するように制御してもよいし、３つ以上のCPUで実施するようにしてもよい。通信系制御部３９ａは、図示せぬ通信処理CPUを備え、通信処理に用いる制御を行う。通信系制御部３９ａは、アンテナ３１、無線送受信部３２、信号処理部３３、PCMコーデック３４、受話増幅器３５、および送話増幅器３７などを用いた通信処理を制御する。一方、UI系制御部３９ｂは、図示せぬUI処理CPUを備え、記憶部４０、操作部４１、表示部４２、時計回路４５などを用いたＵＩ処理に関して制御を行う。
【００２７】
記憶部４０は、例えば、電気的に書換えや消去が可能な不揮発性メモリであるフラッシュメモリ素子やHDD（Hard Disc Drive）などからなり、制御部３９のCPUにより実行される種々のアプリケーションプログラムや種々のデータ群、移動無線端末１の制御プログラムや制御データ、移動無線端末１またはユーザに固有に割り当てられた識別情報を格納する。この他にも、記憶部４０は、名前と電話番号を対応づけた電話帳データや、データ通信により取得したデータやダウンロードしたデータを適宜記憶する。電源回路４４は、バッテリ４３の出力を基に所定の動作電源電圧Ｖｃｃを生成して各回路部に供給する。移動無線端末１には、現在の時刻を測定する時計回路（タイマ）４５が設けられている。
【００２８】
なお、移動無線端末１は、受話増幅器３５、受話音声信号を拡声出力するスピーカ３６、送話増幅器３７、送話音声信号を入力するマイクロホン３８、ユーザからの要求を受け付ける操作部４１、および受信データに基づく画像を表示する表示部４２を備える。
【００２９】
まず、移動無線端末１が1x RTTシステムかあるいはEVDOシステムかのcdma2000システムの基地局で待ち受けを実施している際に、移動無線端末１が、LTEシステムの基地局からcdma2000システムの基地局に変更したことを示す“LTE→C2K Inter-RAT”情報（例えばフラグによる情報）を利用してLTEシステムの基地局を探索する方法について説明する。
【００３０】
図３のフローチャートを参照して、図２の移動無線端末１におけるLTEtoCdma2000 Inter-RATリセレクションフラグＯＮ設定処理について説明する。なお、このLTEtoCdma2000 Inter-RATリセレクションフラグＯＮ設定処理は、移動無線端末１がLTEシステムで待ち受けを実施している際に、他の通信処理などと並行して実行される。
【００３１】
ステップＳ１において、移動無線端末１がLTEシステム（E-UTRANシステム）での待ち受けを開始すると、通信系制御部３９ａは、制御部３９内のRAMの所要のメモリ領域に格納されているLTEtoCdma2000 Inter-RATリセレクションフラグを「０」（「ＯＦＦ」）に設定して初期化する。ステップＳ２において、通信系制御部３９ａは、アンテナ３１、無線送受信部３２、および信号処理部３３を用いたLTEシステムの基地局からcdma2000システムの基地局へのリセレクション(Inter-RATリセレクション)が発生したか否かを判断し、LTEシステムの基地局からcdma2000システムの基地局へのリセレクション(Inter-RATリセレクション)が発生したと判断するまで待機する。ステップＳ２において通信系制御部３９ａが、LTEシステムの基地局からcdma2000システムの基地局へのリセレクション(Inter-RATリセレクション)が発生したと判断した場合、処理はＳ３に移行し、通信系制御部３９ａはステップＳ３で、cdma2000システムの基地局への待ち受けに切り替えるとともに、LTEtoCdma2000 Inter-RATリセレクションフラグを「１」（「ＯＮ」）に設定する。ステップＳ４において、通信系制御部３９ａは、「１」（「ＯＮ」）に設定されたLTEtoCdma2000 Inter-RATリセレクションフラグを制御部３９内のRAMの所要のメモリ領域に格納して記憶する。LTEtoCdma2000 Inter-RATリセレクションフラグのＯＮ設定完了後、移動無線端末１は、cdma2000システムの基地局に対して待ち受け動作を実施する。なお、LTEtoCdma2000 Inter-RATリセレクションフラグの初期化（＝０）は移動無線端末１の電源投入時やリセット時に実施するようにしてもよい。
【００３２】
図４のフローチャートを参照して、図２の移動無線端末１におけるLTEtoCdma2000 Inter-RATリセレクションフラグＯＦＦ設定処理（すなわち、LTEtoCdma2000 Inter-RATリセレクションフラグＯＮ設定解除処理）について説明する。なお、このLTEtoCdma2000 Inter-RATリセレクションフラグＯＦＦ設定処理は、移動無線端末１がcdma2000システムで待ち受けを実施している際に、他の通信処理などと並行して実行される。また、このLTEtoCdma2000 Inter-RATリセレクションフラグＯＦＦ設定処理の前提として、LTEtoCdma2000 Inter-RATリセレクションフラグは、図３を用いて説明したこのLTEtoCdma2000 Inter-RATリセレクションフラグＯＮ設定処理によって「１」（ＯＮ）に設定されているものとする。
【００３３】
ステップＳ２１において、通信系制御部３９ａは、アンテナ３１、無線送受信部３２、および信号処理部３３を用いたcdma2000システムの基地局からLTEシステムまたはcdma2000システムの基地局へのリセレクション（再選択）が発生したか否かを判断し、cdma2000システムの基地局からLTEシステムまたはcdma2000システムの基地局へのリセレクション(Inter-RATリセレクション)が発生したと判断するまで待機する。なお、cdma2000システムの基地局からLTEシステムまたはcdma2000システムの基地局へのリセレクション(Inter-RATリセレクション)が発生するまで、移動無線端末１は、cdma2000システムで待ち受けを継続する。
【００３４】
ステップＳ２１において通信系制御部３９ａが、cdma2000システムの基地局からLTEシステムまたはcdma2000システムの基地局へのリセレクションが発生したと判断した場合、通信系制御部３９ａは、制御部３９内のRAMの所要のメモリ領域に格納されているLTEtoCdma2000 Inter-RATリセレクションフラグを「０」（「ＯＦＦ」）に設定する。すなわち、通信系制御部３９ａは、「１」（ＯＮ）に設定されているLTEtoCdma2000 Inter-RATリセレクションフラグを解除して「０」（「ＯＦＦ」）に設定する。ステップＳ２３において、通信系制御部３９ａは、「０」（「ＯＦＦ」）に設定されたLTEtoCdma2000 Inter-RATリセレクションフラグを制御部３９内のRAMの所要のメモリ領域に格納して記憶する。LTEtoCdma2000 Inter-RATリセレクションフラグのＯＦＦ設定完了後、移動無線端末１は、リセレクション先のLTEシステムまたはcdma2000システムの基地局に対して待ち受け動作を実施する。
【００３５】
なお、LTEtoCdma2000 Inter-RATリセレクションフラグは、移動無線端末１が過去にLTEシステムの基地局からcdma2000システムの基地局に変更したことを示しているが、換言すれば、このことは現在待ち受けているcdma2000システムの基地局の付近にLTEシステムの基地局が存在することを意味している。そこで、図４のLTEtoCdma2000 Inter-RATリセレクションフラグＯＦＦ設定処理の場合、移動無線端末１がcdma2000システムの１つの基地局で待ち受けを実施している際に、待ち受けているcdma2000システムの基地局と異なるcdma2000システムの他の基地局に遷移したときには、遷移後のcdma2000システムの基地局の付近にLTEシステムの基地局が存在するか不明であることから、LTEtoCdma2000 Inter-RATリセレクションフラグは「０」に設定される。
【００３６】
次に、図５のフローチャートを参照して、図２の移動無線端末１におけるLTEtoCdma2000 Inter-RATリセレクションフラグを用いたLTEシステム探索判定処理について説明する。なお、移動無線端末１は、このLTEシステム探索判定処理開始前に、1x RTTシステムやEVDOシステムなどのcdma2000システムで待ち受けを実施している。また、LTEtoCdma2000 Inter-RATリセレクションフラグは、図３と図４のフローチャートに示されるように、適宜「０」と「１」に設定される。
【００３７】
ステップＳ３１において、通信系制御部３９ａは、cdma2000システムの基地局で待ち受け中にLTEシステムの探索（サーチ）を開始するか否かの判定処理を開始すると、制御部３９内のRAMの所要のメモリ領域に格納されているLTEtoCdma2000 Inter-RATリセレクションフラグが「１」（ＯＮ）であるか否かを判定する。ステップＳ３１において通信系制御部３９ａが、LTEtoCdma2000 Inter-RATリセレクションフラグが「１」（ＯＮ）であると判定した場合、通信系制御部３９ａはステップＳ３２で、cdma2000システムの基地局にリセレクション後LTEシステムの基地局の探索（サーチ）がまだ実施されていないか、または、前回のLTEシステム探索開始からの経過時間tがLTEシステム探索開始判定値T_interval１を超えたか否かを判定する。
【００３８】
ステップＳ３２において通信系制御部３９ａが、cdma2000システムの基地局にリセレクション後LTEシステムの基地局の探索がすでに実施されたがLTEシステムの基地局の探索に成功せずに、かつ前回のLTEシステム探索開始からの経過時間tがLTEシステム探索開始判定値T_interval１を超えていない場合であると判定した場合、処理はステップＳ３１に戻る。このとき、移動無線端末１は、cdma2000システムで待ち受けを継続する。なお、cdma2000システムの基地局にリセレクション後LTEシステムの基地局の探索がすでに実施されてLTEシステムの基地局の探索に成功し、LTEシステムの基地局へリセレクションを実施した場合には、図４に示されるInter-RATリセレクションフラグＯＦＦ設定処理によってLTEtoCdma2000 Inter-RATリセレクションフラグが遅滞なく「０」に設定されるが、LTEtoCdma2000 Inter-RATリセレクションフラグＯＦＦ設定処理によってLTEtoCdma2000 Inter-RATリセレクションフラグが「１」から「０」に再設定されるまでの間、ステップＳ３１乃至Ｓ３２の処理が実行される。
【００３９】
一方、ステップＳ３２において通信系制御部３９ａが、cdma2000システムの基地局にリセレクション後LTEシステムの基地局の探索（サーチ）がまだ実施されていないか、または、前回のLTEシステム探索開始からの経過時間tがLTEシステム探索開始判定値T_interval１を超えたと判定した場合、通信系制御部３９ａはステップＳ３３で、アンテナ３１および無線送受信部３２を制御し、LTEシステムの基地局を探索する。移動無線端末１がLTEシステムの基地局を探索する場合、通信系制御部３９ａは、アンテナ３１および無線送受信部３２を制御し、現在待ち受けているcdma2000システムの基地局付近に存在すると推定されるLTEシステムからの電力を測定し、このLTEシステムの基地局との同期の取得を開始する。通信系制御部３９ａは、現在待ち受けているcdma2000システムの基地局付近に存在すると推定されるLTEシステムからの電力がないか、または微小な場合、LTEシステムの基地局の探索は不成功となる。
【００４０】
ステップＳ３４において、通信系制御部３９ａは、LTEシステムの基地局の探索が成功したか否かを判定する。ステップＳ３４において通信系制御部３９ａが、LTEシステムの基地局の探索が成功したと判定した場合、通信系制御部３９ａはステップＳ３５で、所定の再選択基準を用いて、探索に成功したLTEシステムの基地局のリセレクション判定（再選択判定）を行う。所定の再選択基準を満たした場合、通信系制御部３９ａは、アンテナ３１、無線送受信部３２、および信号処理部３３を制御し、現在待ち受けているcdma2000システムの基地局からLTEシステムの基地局への再選択を行う。
【００４１】
一方、ステップＳ３４において通信系制御部３９ａが、LTEシステムの基地局の探索が不成功であると判定した場合、通信系制御部３９ａはステップＳ３６で、次回のLTEシステムの探索（サーチ）までの期間を設定するべく、LTEシステム探索開始判定値T_interval１とT_interval２を設定する。このとき設定されるT_interval１とT_interval２の間には、T_interval１＜T_interval２の関係が存在する。なお、通信系制御部３９ａが次回のLTEシステムの探索（サーチ）までの期間を設定する場合、LTEシステム探索開始判定値T_interval１のみを設定するようにしてもよいし、LTEシステム探索開始判定値T_interval１とT_interval２の両方を設定するようにしてもよいし、LTEシステム探索開始判定値T_interval２のみを設定するようにしてもよい。また、LTEシステム探索開始判定値T_interval１は固定値でなく変更することができる。後述するように、例えば待ち受けを実施しているcdma2000システムの基地局から送信される電波の受信信号品質が基準値以下であるために同期を維持することができなくなる恐れがある場合には、LTEシステム探索開始判定値T_interval１を予め短く設定し、このcdma2000システムよりリセレクション対象となりやすいLTEシステムの基地局を頻繁に探索するように制御することもできる（すなわち、LTEシステムの基地局の探索頻度を上げることができる）。ステップＳ３７において、通信系制御部３９ａは、LTEシステム探索開始判定値T_interval１/ T_interval２が設定されると、時計回路４５を用いて、LTEシステム探索開始からの経過時間ｔをリセットし、LTEシステム探索開始からの経過時間ｔの計時を再度開始する。このとき、移動無線端末１は、cdma2000システムの待ち受け処理を継続する。その後、処理はステップＳ３１に戻る。そして、LTEシステムの基地局からcdma2000システムの基地局へのリセレクションが発生し、その後にcdma2000システム内での基地局の遷移が発生することなく、LTEtoCdma2000 Inter-RATリセレクションフラグが「１」に設定されたままでcdma2000システムの基地局で待ち受けている場合、前回のLTEシステム探索開始からの経過時間ｔがLTEシステム探索開始判定値T_interval１に達するまでステップＳ３１乃至Ｓ３２の処理が繰り返し実行される。前回のLTEシステム探索開始からの経過時間ｔがLTEシステム探索開始判定値T_interval１に達すると、ステップＳ３２で前回のLTEシステム探索開始からの経過時間ｔがLTEシステム探索開始判定値T_interval１よりも大きいと判定され、処理はステップＳ３３に進み、LTEシステムの基地局の探索処理が実行される。
【００４２】
一方、LTEシステムの基地局からcdma2000システムの基地局へのリセレクションが発生し、その後にcdma2000システム内での基地局の遷移（すなわち、cdma2000システムの基地局からcdma2000システムの基地局へのリセレクション）が発生し、LTEtoCdma2000 Inter-RATリセレクションフラグが「１」から「０」に再設定された状態でcdma2000システムの基地局で待ち受けている場合、通信系制御部３９ａはステップＳ３１で、通信系制御部３９ａが、LTEtoCdma2000 Inter-RATリセレクションフラグが「１」（ＯＮ）ではないと判定し、処理はステップＳ３８に進む。なお、移動無線端末１にて図３と図４の処理が実行されず、そもそもLTEtoCdma2000 Inter-RATリセレクションフラグが存在しない場合にも、ステップＳ３１での判定処理はＮｏと判定され、処理はステップＳ３８に進む。
【００４３】
ステップＳ３８において、通信系制御部３９ａは、cdma2000システムの基地局へのリレセクション後にLTEシステムの基地局の探索が未実施で、かつ現在待ち受けているcdma2000システムの基地局から送信される信号の受信信号品質がある基準値ｘより大きいか（条件１）、または、前回のLTEシステムの基地局の探索開始からの経過時間tがLTEシステム探索開始判定値T_interval２を超えているか（条件２）否かを判定する。なお、現在待ち受けているcdma2000システムの基地局から送信される信号の受信信号品質がある基準値ｘより大きい場合には、現在待ち受けているcdma2000システムの基地局から送信される信号の受信信号品質が十分であり、cdma2000システムの基地局との同期が十分に維持でき、cdma2000システムの他の基地局にリセレクションする必要がない状態を意味する。
【００４４】
ステップＳ３８において通信系制御部３９ａがいずれの条件も満たしていないと判定した場合、処理はステップＳ３１に戻る。このとき、移動無線端末１は、cdma2000システムでの待ち受け処理を継続する。一方、ステップＳ３８において通信系制御部３９ａがいずれかの条件を満たしていると判定した場合、処理はステップＳ３３に進み、LTEシステムの基地局の探索処理が実行される。
【００４５】
これにより、移動無線端末１がLTEシステムからcdma2000システムへInter-RATリセレクションにより移ってきた場合において、移り先のcdma2000システム内でリセレクションが実施されていないとき（LTEtoC2K Inter-RATリセレクションフラグが「１」のとき）、cdma2000システムに移ってくる前に待ち受けていたLTEシステムが隣接してサービスされていると考えられるため、LTEシステムが現在接続されるcdma2000システムの隣接セルとして存在していると判断できる。そのため、より短い間隔（T_interval１ (＜T_interval2)）でもってLTEシステムの基地局を探索することができ、LTEシステムへのリセレクションが必要な場合には遅延が少なくリセレクションを実施することができる。一方、移り先のcdma2000システム内でリセレクションが実施された場合やそもそもLTEtoCdma2000 Inter-RATリセレクションフラグの情報を持っていない場合（LTEtoC2K Inter-RATリセレクションフラグが「０」のとき）、現在待ち受けているcdma2000システムの基地局の隣接する基地局としてLTEシステムの基地局が存在しているかを知ることができない。このような場合には、cdma2000システム内でのリセレクションが実施されて移動無線端末１が別の基地局のカバーエリアに入ると、LTEシステムの基地局が存在する可能性が高いと考えられる。さらに、LTEシステムの基地局は，サービスの展開の過程で新たな土地取得の必要性が発生しないなどの理由から、cdma2000システムの基地局と同一の設置場所に設置されるであろうと考えられる。そこで、cdma2000システムの基地局とLTEシステムの基地局が同一の設置場所となっていることを仮定すると、移動無線端末１が待ち受けを実施している現在のcdma2000システムの基地局から送信される受信信号品質が良い場合には、同一の設置場所にあるLTEシステムの基地局から移動無線端末１までの距離がcdma2000システムの基地局から移動無線端末１までの距離と同程度であることを考慮すると、LTEシステムの基地局から送信される電力の受信信号品質も同様に良いと推測することが可能である。従って、cdma2000システムの基地局から送信される電波の受信信号品質が良い場合においてLTEシステムの基地局の探索を実施した場合の方が、cdma2000システムの基地局から送信される電波の受信信号品質が悪い場合においてLTEシステムの基地局の探索を実施した場合よりも、よりLTEシステムの探索に成功しやすいと考えられる。これにより、効率よくLTEシステムの基地局の探索を実施することができ、待ち受け対象となるcdma2000システム内の基地局の遷移毎に、LTEシステムへのリセレクションに備えることができる。例えば、予めLTEシステムの基地局探索を実施しておき、得られたLTEシステム情報（LTEシステムの中心周波数や基地局識別コード等）を保持し、この基地局情報をcdma2000基地局の受信レベル低下時に利用することで、リセレクション時のLTE基地局探索を迅速に実施することができる。また、別の例として、cdma2000システムだけで見た場合には現在待ち受けを実施しているcdma2000システム基地局について、この基地局からの受信信号品質が良いために、周辺基地局の探索を実施しなくてよいと判断し、かつリセレクションをしなくてよいと判断される場合において、LTEシステムの優先度がcdma2000システムよりも高く設定されるなどしてLTEシステムにリセレクションしたい���きには、cdma2000システム基地局からの受信信号品質が良い場合であっても、LTEシステム基地局を探索してその探索に成功したLTEシステム基地局にリセレクションすることができる。さらに、LTEシステムの基地局の探索に必要な電力は、まったくLTEシステムが存在しない場合にはLTEシステムに割り当てられている電力測定のみで測定完了するため、少ないと考えられる。
【００４６】
なお、最低限のLTEシステムの基地局の探索を実施するために、T_interval２経過毎にLTEシステム探索をすることもできる。従って、万一、cdma2000システムの基地局から送信される電波の受信信号電力が弱い場所を、移動無線端末１が移動するような場合であっても、LTEシステムを好適に探索することができる。
【００４７】
次に、移動無線端末１が1x RTTシステムの基地局で待ち受けを実施している際に、移動無線端末１が、1x RTTシステムにおける発着信処理を実施したことを示す“CS Fallback”の有無情報（例えばフラグによる情報）を利用してLTEシステムの基地局を探索する方法について説明する。なお、1x RTTシステムにおける発着信処理は、LTEシステムで待ち受け中に回線交換系の通信の接続要求が発生した後に、LTEシステムから1x RTTシステムに移行して実施される。
【００４８】
図６のフローチャートを参照して、図２の移動無線端末１におけるCS FallbackフラグＯＮ設定処理について説明する。なお、このCS FallbackフラグＯＮ設定処理は、移動無線端末１がLTEシステムで待ち受けを実施している際に、他の通信処理などと並行して実行される。
【００４９】
ステップＳ５１において、移動無線端末１がLTEシステム（E-UTRANシステム）での待ち受けを開始すると、通信系制御部３９ａは、制御部３９内のRAMの所要のメモリ領域に格納されているCS Fallbackフラグを「０」（「ＯＦＦ」）に設定して初期化する。ステップＳ５２において、制御部３９は、CS Fallback発信を開始するかまたはCS Fallback着信信号を受信したか否かを判定し、CS Fallback発信を開始するかまたはCS Fallback着信信号を受信したと判定するまで待機する。なお、CS Fallback発信の場合、制御部３９のUI系制御部３９ｂは、移動通信端末１内のユーザインターフェース（ＵＩ）を介してユーザからの要求があったことを認識し、その認識結果を通信系制御部３９ａに伝える。通信系制御部３９ａは、UI系制御部３９ｂから認識結果を取得し、認識結果に基づいてCS Fallback発信を開始すると判定する。一方、CS Fallback着信の場合は、通信系制御部３９ａは、信号処理部３３によって処理された受信信号の中にPagingメッセージが存在し、このPagingメッセージがCS Fallbackを示す情報を有しているか否かを判定し、PagingメッセージがCS Fallbackを示す情報を有している場合にCS Fallback着信信号を受信したと判定する。
【００５０】
ステップＳ５２において制御部３９が、CS Fallback発信を開始するかまたはCS Fallback着信信号を受信したと判定した場合、処理はステップＳ５３に移行し、通信系制御部３９ａはステップＳ５３で、CS Fallback動作の終了後にLTEシステムの基地局を探索する際に用いるために、CS Fallbackフラグを「１」（「ＯＮ」）に設定する。ステップＳ５４において、通信系制御部３９ａは、「１」（「ＯＮ」）に設定されたCS Fallbackフラグを制御部３９内のRAMの所要のメモリ領域に格納して記憶する。ステップＳ５５において、通信家制御部３９ａは、アンテナ３１、無線送受信部３２、および信号処理部３３を制御し、CS Fallback動作を開始する。このCS Fallback動作を実行する場合、移動無線端末１は、LTEシステムから回線交換通話処理を実施するためにLTEシステムから1x RTTシステムに切り替える一連動作（例えば、TS23.272によるシステム切り替え動作）を実行し、1xRTTシステムでの回線交換系サービスの接続を実施する。ステップＳ５６において、通信系制御部３９ａは、CS Fallback動作による回線交換通話処理が終了したか否かを判定し、CS Fallback動作による回線交換通話処理が終了したと判定するまで待機する。ステップＳ５６において通信系制御部３９ａが、CS Fallback動作による回線交換通話処理が終了したと判定した場合、通信系制御部３９ａは、アンテナ３１、無線送受信部３２、および信号処理部３３を制御し、1x RTTシステムとの接続を終了し、その後1x RTTシステムの基地局に対して待ち受け動作を実施する。
【００５１】
図７のフローチャートを参照して、図２の移動無線端末１におけるCS FallbackフラグＯＦＦ設定処理（すなわち、CS FallbackフラグＯＮ設定解除処理）について説明する。なお、このCS FallbackフラグＯＦＦ設定処理は、移動無線端末１がcdma2000システムで待ち受けを実施している際に、他の通信処理などと並行して実行される。また、このCS FallbackフラグＯＦＦ設定処理の前提として、CS Fallbackフラグは、図６を用いて説明したCS FallbackフラグＯＮ設定処理によって「１」（ＯＮ）に設定されているものとする。
【００５２】
ステップＳ６１において、通信系制御部３９ａは、アンテナ３１、無線送受信部３２、および信号処理部３３を用いたcdma2000システムの基地局からLTEシステムの基地局へのリセレクション（再選択）が発生したか否かを判断し、cdma2000システムの基地局からLTEシステムの基地局へのリセレクション(Inter-RATリセレクション)が発生したと判断するまで待機する。なお、cdma2000システムの基地局からLTEシステムの基地局へのリセレクションが発生するまで、移動無線端末１は、cdma2000システムで待ち受けを継続する。
【００５３】
ステップＳ６１において通信系制御部３９ａが、cdma2000システムの基地局からLTEシステムの基地局へのリセレクションが発生したと判断した場合、通信系制御部３９ａは、制御部３９内のRAMの所要のメモリ領域に格納されているCS Fallbackフラグを「０」（「ＯＦＦ」）に設定する。すなわち、通信系制御部３９ａは、「１」（ＯＮ）に設定されているCS Fallbackフラグを解除して「０」（「ＯＦＦ」）に設定する。ステップＳ６３において、通信系制御部３９ａは、「０」（「ＯＦＦ」）に設定されたCS Fallbackフラグを制御部３９内のRAMの所要のメモリ領域に格納して記憶する。CS FallbackフラグのＯＦＦ設定完了後、移動無線端末１は、リセレクション先のLTEシステムの基地局に対して待ち受け動作を実施する。
【００５４】
図８のフローチャートを参照して、図２の移動無線端末１におけるCS Fallbackフラグを用いたLTEシステム探索判定処理について説明する。なお、移動無線端末１は、このLTEシステム探索判定処理開始前に、cdma2000システムのうちの1x RTTシステムで待ち受けを実施している。また、CS Fallbackフラグは、図６と図７のフローチャートに示されるように「０」または「１」に設定される。
【００５５】
ステップＳ７１において、通信系制御部３９ａは、1x RTTシステムの基地局で待ち受け中にLTEシステムの探索（サーチ）を開始するか否かの判定処理を開始すると、制御部３９内のRAMの所要のメモリ領域に格納されているCS Fallbackフラグが「１」（ＯＮ）であるか否かを判定する。ステップＳ７１において通信系制御部３９ａが、CS Fallbackフラグが「１」（ＯＮ）ではないと判定した場合（すなわち、CS Fallbackフラグが「０」（ＯＦＦ）であると判定した場合）、ステップＳ７１で待機し、移動無線端末１は、1x RTTシステムで待ち受けを継続する。一方、ステップＳ７１において通信系制御部３９ａが、CS Fallbackフラグが「１」（ＯＮ）であると判定した場合、通信系制御部３９ａはステップＳ７２で、cdma2000システム（この場合、1x RTTシステム）の基地局にリセレクション後LTEシステムの基地局の探索（サーチ）がまだ一度も実施されていないか、または、前回のLTEシステム探索開始からの経過時間tがLTEシステム探索開始判定値T_intervalを超えたか否かを判定する。なお、cdma2000システム（この場合、1x RTTシステム）の基地局にリセレクション後LTEシステムの基地局の探索（サーチ）がまだ一度も実施されていない場合には、CS Fallback動作により1x RTTシステムの基地局にリセレクション後に1x RTTシステム内での基地局の遷移（すなわち、1x RTTシステムの基地局から1x RTTシステムの基地局へのリセレクション）が発生したときであって、かつLTEシステムの基地局の探索（サーチ）がまだ一度も実施されていない場合も含まれる。従って、1x RTTシステム内での基地局の遷移が発生する度にステップＳ７２の判定処理は「Ｙｅｓ」と判定され、処理はステップＳ７３に進む。
【００５６】
ステップＳ７２において通信系制御部３９ａが、cdma2000システム（1x RTTシステム）の基地局にリセレクション後LTEシステムの基地局の探索がすでに実施されたがLTEシステムの基地局の探索に成功せずに、かつ前回のLTEシステム探索開始からの経過時間tがLTEシステム探索開始判定値T_intervalを超えていない場合であると判定した場合、処理はステップＳ７１に戻る。このとき、移動無線端末１は、1x RTTシステムで待ち受けを継続する。
【００５７】
一方、ステップＳ７２において通信系制御部３９ａは、cdma2000システム（1x RTTシステム）の基地局にリセレクション後LTEシステムの基地局の探索（サーチ）がまだ実施されていないか、または、前回のLTEシステム探索開始からの経過時間tがLTEシステム探索開始判定値T_intervalを超えたと判定した場合、通信系制御部３９ａはステップＳ７３で、アンテナ３１および無線送受信部３２を制御し、LTEシステムの基地局を探索する。なお、LTEシステムの基地局の探索処理の詳細は図５のステップＳ３３における探索処理と同様であり、その説明は繰り返しになるので省略する。
【００５８】
ステップＳ７４において、通信系制御部３９ａは、LTEシステムの基地局の探索が成功したか否かを判定する。ステップＳ７４において通信系制御部３９ａが、LTEシステムの基地局の探索が成功したと判定した場合、通信系制御部３９ａはステップＳ７５で、所定の再選択基準を用いて、探索に成功したLTEシステムの基地局のリセレクション判定（再選択判定）を行う。所定の再選択基準を満たした場合、通信系制御部３９ａは、アンテナ３１、無線送受信部３２、および信号処理部３３を制御し、現在待ち受けているcdma2000システムの基地局からLTEシステムの基地局への再選択を行う。
【００５９】
一方、ステップＳ７４において通信系制御部３９ａが、LTEシステムの基地局の探索が不成功であると判定した場合、通信系制御部３９ａはステップＳ７６で、次回のLTEシステムの探索（サーチ）までの期間を設定するべく、LTEシステム探索開始判定値T_intervalを設定する。なお、LTEシステム探索開始判定値T_intervalは固定値でなく適宜変更するようにしてもよい。また、1xRTTシステムから移動無線端末１に対して報知される周辺基地局情報を元にLTEシステム探索開始判定値T_intervalを設定するようにしてもよい。1xRTTシステムの基地局から他のシステム（例えばEVDOシステム）の基地局情報の存在が確認された場合には、LTEシステムの基地局の探索頻度をEVDOシステムの基地局の探索頻度よりも上げるためにT_intervalを短く設定するようにしてもよい。
【００６０】
ステップＳ７７において、通信系制御部３９ａは、LTEシステム探索開始判定値T_intervalが設定されると、時計回路４５を用いて、LTEシステム探索開始からの経過時間ｔをリセットし、LTEシステム探索開始からの経過時間ｔの計時を再度開始する。このとき、移動無線端末１は、cdma2000システムの待ち受け処理を継続する。その後、処理はステップＳ７１に戻る。そして、前回のLTEシステム探索開始からの経過時間ｔがLTEシステム探索開始判定値T_intervalに達するまでステップＳ７１乃至Ｓ７２の処理が繰り返し実行される。前回のLTEシステム探索開始からの経過時間ｔがLTEシステム探索開始判定値T_intervalに達すると、ステップＳ７２で前回のLTEシステム探索開始からの経過時間ｔがLTEシステム探索開始判定値T_intervalよりも大きいと判定され、処理はステップＳ７３に進み、LTEシステムの基地局の探索処理が実行される。
【００６１】
これにより、移動無線端末１が接続するシステムがCS Fallback動作によってLTEシステムから1x RTTシステムへシステムを切り替えざるを得なくなった場合において、移動無線端末１がもともと接続していたLTEシステムの基地局をすぐに探索することができ、そのLTEシステムの基地局で待ち受けることができると判断したとき、LTEシステムへリセレクションを実施し、そのLTEシステムへ復帰することができる。さらに、CS Fallback動作によってLTEシステムから1x RTTシステムへシステムを切り替えた後、1x RTTシステム内での基地局のリセレクションが発生する度にLTEシステムの探索を試みることができるため、LTEシステムの復帰を迅速に進めることができるとともに、LTEシステムの探索が失敗に終わった場合には、LTEシステム探索の頻度を落とすことにより、効率的にLTEシステムの探索を実施することができる。
【００６２】
なお、移動無線端末１が1x RTTシステムの基地局で待ち受けを実施している際に、移動無線端末１が、1x RTTシステムにおける発着信処理を実施したことを示す“CS Fallback”の有無情報（例えばフラグによる情報）とCS Fallback動作による1x RTTシステムへの接続中のハンドオーバーの有無情報（例えばフラグによる情報）を利用してLTEシステムの基地局を探索するようにしてもよい。以下、この方法を用いたCS FallbackフラグＯＮ設定処理について説明する。
【００６３】
図９のフローチャートを参照して、図２の移動無線端末１における他のCS FallbackフラグＯＮ設定処理について説明する。なお、図９のステップＳ１０１乃至Ｓ１０４、ステップＳ１０６、およびステップＳ１１１の処理は、図６のステップＳ５１乃至Ｓ５６の処理と基本的には同様でありその説明は繰り返しになるので省略する。
【００６４】
ステップＳ１０５において、通信系制御部３９ａは、CS Fallback動作による1x RTTシステムへの移行前に接続されている現在のLTEシステムに関する情報を記憶部４０に記憶する。ここで、保存すべきLTEシステム情報とは、CS Fallback動作が完了して1x RTTシステムでの通信処理が終了した時点において、LTEシステムの探索に必要な情報であり、例えばLTEシステムの中心周波数や基地局識別コードなどである。
【００６５】
ステップＳ１０７において、1xRTTシステムでの回線交換系サービスの接続を実施すると、通信系制御部３９ａは、制御部３９内のRAMの所要のメモリ領域に格納されているCS Fallback HO_occurredフラグを「０」（「ＯＦＦ」）に設定して初期化する。ステップＳ１０８において、通信系制御部３９ａは、無線送受信部３２および信号処理部３３を制御し、CS Fallback動作による1x RTTシステムへの接続中にハンドオーバーが発生したか否かを判定する。ステップＳ１０８において通信系制御部３９ａが、CS Fallback動作による1x RTTシステムへの接続中にハンドオーバーが発生したと判定した場合、通信系制御部３９ａはステップＳ１０９で、制御部３９内のRAMの所要のメモリ領域に格納されているCS Fallback HO_occurredフラグを「１」（「ＯＮ」）に設定する。ステップＳ１１０において、通信系制御部３９ａは、「１」（「ＯＮ」）に設定されたCS Fallback HO_occurredフラグを制御部３９内のRAMの所要のメモリ領域に格納して記憶する。一方、ステップＳ１０８において通信系制御部３９ａが、CS Fallback動作による1x RTTシステムへの接続中にハンドオーバーが発生していないと判定した場合、ステップＳ１０９乃至Ｓ１１０の処理はスキップされ、制御部３９内のRAMの所要のメモリ領域に格納されているCS Fallback HO_occurredフラグは「０」（「ＯＦＦ」）に設定されたまま維持される。なお、本発明の実施形態においては、CS Fallback動作による1x RTTシステムへの接続中のハンドオーバーの有無情報として、制御部３９内のRAMの所要のメモリ領域に格納されているCS Fallback HO_occurredフラグを用いるようにしたが、このような場合に限られず、CS Fallback動作による1x RTTシステムへの接続中に発生したハンドオーバーの回数をカウントアップするようにしてもよい。
【００６６】
なお、図９に示されるCS FallbackフラグＯＮ設定処理によって「１」に設定されたCS Fallback HO_occurredフラグは、図７のステップＳ６２においてCS Fallbackフラグが「０」（「ＯＦＦ」）に設定されるときに同時に「０」（「ＯＦＦ」）に設定される。
【００６７】
次に、図１０のフローチャートを参照して、図２の移動無線端末１におけるCS FallbackフラグとCS Fallback HO_occurredフラグを用いたLTEシステム探索判定処理について説明する。なお、移動無線端末１は、このLTEシステム探索判定処理開始前に、cdma2000システムのうちの1x RTTシステムで待ち受けを実施している。また、CS FallbackフラグとCS Fallback HO_occurredフラグは、図９のフローチャートに示されるようにそれぞれ「０」または「１」に設定される。
【００６８】
ステップＳ１２１において、通信系制御部３９ａは、1x RTTシステムの基地局で待ち受け中にLTEシステムの探索（サーチ）を開始するか否かの判定処理を開始すると、制御部３９内のRAMの所要のメモリ領域に格納されているCS Fallbackフラグが「１」（ＯＮ）であるか否かを判定する。ステップＳ１２１において通信系制御部３９ａが、CS Fallbackフラグが「１」（ＯＮ）ではないと判定した場合（すなわち、CS Fallbackフラグが「０」（ＯＦＦ）であると判定した場合）、ステップＳ１２１で待機し、移動無線端末１は、1x RTTシステムで待ち受けを継続する。一方、ステップＳ１２１において通信系制御部３９ａが、CS Fallbackフラグが「１」（ＯＮ）であると判定した場合、通信系制御部３９ａはステップＳ１２２で、制御部３９内のRAMの所要のメモリ領域に格納されているCS Fallback HO_occurredフラグが「０」（ＯＦＦ）であるか否かを判定する（すなわち、CS Fallback動作による1x RTTシステムへの接続中にハンドオーバーが一度も発生しなかったか否かを判定する）。
【００６９】
ステップＳ１２２において通信系制御部３９ａが、CS Fallback HO_occurredフラグが「０」（ＯＦＦ）であると判定した場合、通信系制御部３９ａは、CS Fallback動作による1x RTTシステムへの接続中にハンドオーバーが一度も発生しなかったと認識し、アンテナ３１および無線送受信部３２を制御し、記憶部４０に記憶されているLTEシステムに関する情報（CS Fallback動作による1x RTTシステムへの移行前に接続されていたLTEシステムに関する情報）を用いてLTEシステムの基地局を探索する。これは、CS Fallback動作による接続中にハンドオーバーが発生していないため、CS Fallback動作によって移動無線端末１が接続するシステムがLTEシステムから1xRTTシステムへと移行したものの、移動無線端末１は、CS Fallback動作前に待ち受けていたLTEシステムの基地局の電波の届く圏内に存在している可能性が高いと考えられる。そこで、通信系制御部３９ａは、記憶部４０に記憶されているLTEシステムに関する情報を用いてLTEシステムの基地局を探索する。これにより、LTEシステムに関する情報を用いない場合に比べて迅速にLTEシステムを探索することができる。
【００７０】
一方、ステップＳ１２２において通信系制御部３９ａが、CS Fallback HO_occurredフラグが「１」（ＯＮ）であると判定した場合、通信系制御部３９ａは、CS Fallback動作による1x RTTシステムへの接続中にハンドオーバーが発生したと認識し、アンテナ３１および無線送受信部３２を制御し、記憶部４０に記憶されているLTEシステムに関する情報を用いずにLTEシステムの基地局を探索する。これは、CS Fallback動作による接続中にハンドオーバーが起こっており、通信しているハンドオーバー先の1x RTTシステムの基地局のカバーエリアに存在する移動無線端末１が、CS Fallback動作前に待ち受けていたLTEシステムの基地局の電波の届く圏内に存在しているか不明であるからである。そこで、通信系制御部３９ａは、記憶部４０に記憶されているLTEシステムに関する情報を用いずにLTEシステムの基地局を探索する。
【００７１】
ステップＳ１２５において、通信系制御部３９ａは、LTEシステムの基地局の探索が成功したか否かを判定する。ステップＳ１２５において通信系制御部３９ａが、LTEシステムの基地局の探索が成功したと判定した場合、通信系制御部３９ａはステップＳ１２６で、所定の再選択基準を用いて、探索に成功したLTEシステムの基地局のリセレクション判定（再選択判定）を行う。所定の再選択基準を満たした場合、通信系制御部３９ａは、アンテナ３１、無線送受信部３２、および信号処理部３３を制御し、現在待ち受けているcdma2000システム（1x RTTシステム）の基地局からLTEシステムの基地局への再選択を行う。一方、ステップＳ７４において通信系制御部３９ａが、LTEシステムの基地局の探索が不成功であると判定した場合、処理はステップＳ１２１に戻る。
【００７２】
これにより、移動無線端末１が接続するシステムがCS Fallback動作によってLTEシステムから1x RTTシステムへシステムを切り替えざるを得なくなった場合において、移動無線端末１は、LTEシステムをすぐに探索することができる。特に、CS Fallback動作による接続中のハンドオーバーが一度も発生していないとき、CS Fallback動作前に移動無線端末１が待ち受けていたLTEシステムの情報を利用してLTEシステムを探索するようにしたので、LTEシステムの基地局の探索時間を短縮することができ、即座にLTEシステムに復帰することができる。
【００７３】
なお、CS FallbackフラグとCS Fallback HO_occurredフラグを用いたLTEシステム探索判定処理の場合であっても、LTEシステムの基地局の探索に成功しなかったときにはLTEシステム探索開始判定値T_intervalを設定し、設定されたLTEシステム探索開始判定値T_intervalごとにLTEシステムの基地局を探索するようにしてもよい。この場合における処理は、図１１のフローチャートに示される。なお、図１１の処理は、図８と図１０の処理を組み合わせたものであり、その説明は繰り返しになるので省略する。
【００７４】
なお、本発明の実施形態において説明した一連の処理は、ソフトウェアにより実行させることもできるが、ハードウェアにより実行させることもできる。
【００７５】
また、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００７６】
【図１】本発明に係る移動通信システムの構成を示す図。
【図２】本発明に係る移動無線端末の内部の構成を示すブロック図。
【図３】図２の移動無線端末におけるLTEtoCdma2000 Inter-RATリセレクションフラグＯＮ設定処理を説明するフローチャート。
【図４】図２の移動無線端末におけるLTEtoCdma2000 Inter-RATリセレクションフラグＯＦＦ設定処理を説明するフローチャート。
【図５】図２の移動無線端末におけるLTEtoCdma2000 Inter-RATリセレクションフラグを用いたLTEシステム探索判定処理について説明するフローチャート。
【図６】図２の移動無線端末におけるCS FallbackフラグＯＮ設定処理を説明するフローチャート。
【図７】図２の移動無線端末におけるCS FallbackフラグＯＦＦ設定処理を説明するフローチャート。
【図８】図２の移動無線端末におけるCS Fallbackフラグを用いたLTEシステム探索判定処理を説明するフローチャート。
【図９】図２の移動無線端末における他のCS FallbackフラグＯＮ設定処理を説明するフローチャート。
【図１０】図２の移動無線端末におけるCS FallbackフラグとCS Fallback HO_occurredフラグを用いたLTEシステム探索判定処理を説明するフローチャート。
【図１１】図２の移動無線端末におけるCS FallbackフラグとCS Fallback HO_occurredフラグを用いた他のLTEシステム探索判定処理を説明するフローチャート。
【符号の説明】
【００７７】
１…移動無線端末、３１…アンテナ、３２…無線送受信部、３３…信号処理部、３４…ＰＣＭコーデック、３５…受話増幅器、３６…スピーカ、３７…送話増幅器、３８…マイクロホン、３９…制御部、４０…記憶部、４１…操作部、４２…表示部、４３…バッテリ、４４…電源回路、４５…時計回路。
【図１】
2010147576.tif 000003
【図２】
2010147576.tif 000004
【図３】
2010147576.tif 000005
【図４】
2010147576.tif 000006
【図５】
2010147576.tif 000007
【図６】
2010147576.tif 000008
【図７】
2010147576.tif 000009
【図８】
2010147576.tif 000010
【図９】
2010147576.tif 000011
【図１０】
2010147576.tif 000012
【図１１】
2010147576.tif 000013